(57)【特許請求の範囲】
【請求項１】
昇降機のケーブルを架設するための昇降機ケーブル架設装置であって、
前記ケーブルを巻き回し可能であり、かつ前記ケーブルを巻き上げおよび送り出し可能に回転する回転ドラムと、
前記ケーブルを巻き上げる方向への前記回転ドラムの回転を所定の回転角度でロック可能なロック機構と、
前記ロック機構がロック解除された状態で、前記ケーブルを巻き上げる方向に前記回転ドラムを回転させるように付勢する付勢手段と、
前記ケーブルにマーキングするためのマーカーと
を備え、
前記マーカーは、
前記回転ドラムからの前記ケーブルの送り出し量を計測可能な計測手段と、
前記計測手段が予め設定された前記ケーブルの送り出し量を計測すると、前記ケーブルの前記送り出し量に対応する位置にマーキング可能なマーキング手段とを含む、昇降機ケーブル架設装置。
【請求項２】
前記ロック機構は、
爪と、
前記爪と係合することにより前記付勢手段による付勢力に抗して前記回転ドラムを係止可能な歯車とを含む、請求項１に記載の昇降機ケーブル架設装置。
【請求項３】
前記ケーブルは、複数の前記ケーブル部を含む、請求項１または２に記載の昇降機ケーブル架設装置。
【請求項４】
請求項１〜３のいずれかに記載の昇降機ケーブル架設装置を用いて、前記昇降機に含まれる昇降可能なかごと、前記かごの昇降を制御可能な制御部との双方に前記ケーブルを電気的に接続するための昇降機ケーブル架設方法であって、
前記回転ドラムに巻き回された前記ケーブルを前記回転ドラムから前記所定の回転角度ずつ送り出し、かつ前記回転ドラムからの前記ケーブルの送り出し量が多すぎる場合には前記ロック機構を解除して前記ケーブルを巻き上げることにより、所定長さの前記ケーブルを前記回転ドラムから引き出す工程と、
前記回転ドラムから引き出された前記所定長さの前記ケーブルの前記送り出し量に対応する位置に前記昇降機ケーブル架設装置の前記マーカーを用いてマーキングを施す工程と、
前記マーキングが施された前記所定長さの前記ケーブルを、前記マーキングにあわせて前記ケーブルの長さを調整して前記かごの外側に設けられた前記制御部に電気的に接続する工程とを備えた、昇降機ケーブル架設方法。
【発明の詳細な説明】
【技術分野】
【０００１】
本発明は、昇降機ケーブル架設装置および昇降機ケーブル架設方法に関し、特に、昇降機のケーブルを架設するための昇降機ケーブル架設装置および昇降機ケーブル架設方法に関するものである。
【背景技術】
【０００２】
エレベータなどの昇降機の耐用年数は、２０年〜２５年程度が一般的である。長年使用されると老朽化のため昇降機の制御盤、巻上機、ブレーキ機構などの各装置および機器が劣化する。老朽化した昇降機の機能および安全性などを改善するため改修工事（所謂、モダニゼーション工事）および修理工事などが実施されている。
【０００３】
改修工事および修理工事などでは昇降機の全体または一部が改造あるいは交換される。そのため工事期間中は、昇降機を停止する必要がある。特に、改修工事は昇降機の既設部分の取り外しから始めて新しい機器の設置まで長時間を要し、昇降機を停止する期間も長時間となる。
【０００４】
その結果、利用者は昇降機を長時間に亘って使用することができなくなる。このため、工事期間中における昇降機の停止期間の短縮が望まれている。特に、住宅または事務所のように昇降機が１台のみ設置されている場合、昇降機の停止期間の短縮が強く望まれている。
【０００５】
たとえば、特開２０００−４４１４２号公報（特許文献１）には、可動部の経年劣化した部分の既設制御ケーブルのみを新設ケーブルと交換するエレベータ制御ケーブルの交換工法が提案されている。このエレベータ制御ケーブルの交換工法では、既設制御ケーブルの交換は、昇降路側とかご下に設けたケーブル接続箱間で行われる。昇降路内をかごが昇降することに伴って屈曲移動する可動部の経年劣化による断線しやすい部分が交換されるため、その他の固定されている静止部分の劣化のない既設制御ケーブルを除去する必要がない。そのため、交換の作業時間の短縮が図れ、利用者の不可動時間を削減できる。
【先行技術文献】
【特許文献】
【０００６】
【特許文献１】特開２０００−４４１４２号公報
【発明の概要】
【発明が解決しようとする課題】
【０００７】
しかしながら、この公報のエレベータ制御ケーブルの交換工法は、新たに接続箱を２つ設け、接続箱に対して既設制御ケーブルと新設制御ケーブルを接続するなど、従来の交換作業では発生しなかった余分な作業が発生するため、作業時間の短縮が図れない。
【０００８】
また、制御系が変更される改修工事では、新設制御ケーブルと２０年以上前に設置された既設制御ケーブルとはほとんどケースにおいてケーブル規格（信号）が違うため、既設制御ケーブルを流用することは不可能であり、この交換工法が実施できない。したがって、必然的に全線交換となり作業時間が長くなってしまう。以上により、この交換工法は、昇降機の停止時間が長いことにより利用者へ不便を与えている。
【０００９】
また、全線交換の際に一般的に行われている架設方法では、かご、または乗場に置かれた治工具（ターンテーブル）の上に制御ケーブル（ケーブル）がセットされ、治工具を回しながらケーブルの送り出しが行われている。この治工具ではケーブルの架設作業者とは別にケーブルを送り出す作業者が必要であり、ケーブルの架設は人手がかかる作業となっいる。そのためケーブルの架設の作業性が悪い。
【００１０】
本発明は、上記課題に鑑みてなされたものであり、その目的は、ケーブルの架設の作業性を向上することにより、ケーブルの架設作業者がケーブルを短時間で交換できる昇降機ケーブル架設装置および昇降機ケーブル架設方法を提供することである。
【課題を解決するための手段】
【００１１】
本発明の昇降機ケーブル架設装置は、昇降機のケーブルを架設するための昇降機ケーブル架設装置であって、ケーブルを巻き回し可能であり、かつケーブルを巻き上げおよび送り出し可能に回転する回転ドラムと、ケーブルを巻き上げる方向への回転ドラムの回転を所定の回転角度でロック可能なロック機構と、ロック機構がロック解除された状態で、ケーブルを巻き上げる方向に回転ドラムを回転させるように付勢する付勢手段と、ケーブルにマーキングするためのマーカーとを備え、マーカーは、回転ドラムからのケーブルの送り出し量を計測可能な計測手段と、計測手段が予め設定されたケーブルの送り出し量を計測すると、ケーブルの送り出し量に対応する位置にマーキング可能なマーキング手段とを含んでいる。
【発明の効果】
【００１２】
本発明の昇降機ケーブル架設装置によれば、ケーブルを巻き上げる方向への回転ドラムの回転を所定の回転角度でロック可能なロック機構により、所定の回転角度に応じて所定の長さずつケーブルを引き出すことができる。またロック機構がロック解除された状態で、ケーブルを巻き上げる方向に回転ドラムを回転させるように付勢する付勢手段によりケーブルを巻き上げることができる。そのため、ケーブルの巻き上げ量および送り出し量の調整が容易にできる。これにより、ケーブルの架設の作業性を向上することができる。ケーブルの架設の作業性を向上することにより、ケーブルの架設作業者がケーブルを短時間で交換できる。
【図面の簡単な説明】
【００１３】
【図１】本発明の実施の形態１における昇降機ケーブル架設装置がかごに設置された状態を示す昇降機の概略構成図である。
【図２】本発明の実施の形態１における昇降機ケーブル架設装置の概略斜視図である。
【図３】本発明の実施の形態１における昇降機ケーブル架設装置を構成する回転ドラムの概略側面図である。
【図４】本発明の実施の形態１における昇降機ケーブル架設装置を構成する回転ドラムの内部構造を示す概略図であって、図３のＩＶ−ＩＶ線から見た概略図である。
【図５】本発明の実施の形態１における昇降機ケーブル架設装置を使用してケーブルをかご上へ引き出す様子を示す概略斜視図である。
【図６】本発明の実施の形態１における昇降機ケーブル架設装置を使用してケーブルを機械室へ立ち上げる様子を示す概略斜視図である。
【図７】本発明の実施の形態１における昇降機ケーブル架設装置のケーブルを送り出す動作を示す概略斜視図である。
【図８】本発明の実施の形態１における昇降機ケーブル架設装置のロック機構がロック解除された状態を示す概略図である。
【図９】本発明の実施の形態１における昇降機ケーブル架設装置のケーブル巻き上げるためにケーブルを送り出す動作を示す概略斜視図である。
【図１０】本発明の実施の形態１における昇降機ケーブル架設装置を構成する回転ドラムの巻き上げ動作時の内部構造を示す概略図である。
【図１１】本発明の実施の形態１における昇降機ケーブル架設装置のケーブルを巻き上げる動作を示す概略斜視図である。
【図１２】本発明の実施の形態１における昇降機ケーブル架設装置を使用してケーブルを昇降路の最下階まで架設する様子を示す概略斜視図である。
【図１３】本発明の実施の形態１における昇降機ケーブル架設装置を使用してケーブルをピット内でかご下ハンガーへ取り付ける様子を示す概略斜視図である。
【図１４】本発明の実施の形態１における昇降機ケーブル架設装置を使用してケーブルの架設が完了した状態を示す概略斜視図である。
【図１５】本発明の実施の形態２における昇降機ケーブル架設装置の概略斜視図である。
【発明を実施するための形態】
【００１４】
以下、本発明の実施の形態について図に基づいて説明する。
（実施の形態１）
最初に本発明の実施の形態１の昇降機ケーブル架設装置が設置された昇降機の構成について説明する。
【００１５】
以下、本実施の形態の昇降機ケーブル架設装置が昇降機のかごに設置された場合について説明するが、昇降機ケーブル架設装置の設置場所はかごに限定されずたとえば乗場であってもよい。また、本実施の形態の昇降機ケーブル架設装置が設置された昇降機として、機械室有りの昇降機を例にして説明するが、機械室無しの昇降機であってもよい。また、ロープ式の昇降機を例として説明するが、油圧式の昇降機であってもよい。また、本実施の形態の昇降機ケーブル架設装置に用いられる制御ケーブル（ケーブル）として平らな帯状のケーブルを例に説明するが、ケーブルの断面はたとえば円形または楕円形であってもよい。
【００１６】
図１を参照して、本実施の形態の昇降機１００は、巻上機１０１と、制御盤（制御部）１０２と、つり合いおもり１０４と、昇降路１０５と、機械室１０６と、ワイヤーロープ１０７と、かご１０８と、かごドア１０９と、乗場ドア１１０とを主に有している。
【００１７】
本実施の形態の昇降機ケーブル架設装置１は、昇降機１００の制御ケーブル（ケーブル）２０を架設するためのものである。図１では、昇降機ケーブル架設装置１は、新しく架設されるケーブル２０がセットされた状態で昇降機１００のかご１０８の内部に設置されている。この場合、昇降機ケーブル架設装置１によってかご１０８の上部に設けられた図示しない救出口または開放されたかごドア１０９からかご上１０３までケーブル２０が導かれ得る。なお、昇降機ケーブル架設装置１は乗場１１１に設置されていてもよい。昇降機ケーブル架設装置１が乗場１１１に設置される場合には、開放された乗場ドア１１０からかご上１０３にケーブル２０が導かれ得る。
【００１８】
続いて、本実施の形態の昇降機１００の構成について詳しく説明する。昇降機１００を制御するための制御盤（制御部）１０２と、制御盤１０２に接続されたかご１０８を巻き上げるための巻上機１０１とが機械室１０６に設置されている。巻上機１０１の下方には、昇降路１０５がかご１０８を昇降させる方向に伸びるように形成されている。昇降路１０５は、かご１０８を取り囲むように形成されている。なお、機械室１０６が設けられていない場合には、巻上機１０１および制御盤１０２は昇降路１０５内に設置される。
【００１９】
かご１０８は、昇降路１０５内を巻上機１０１とつり合いおもり１０４とによって昇降可能に、巻上機１０１を挟んでつり合いおもり１０４とワイヤーロープ１０７で接続されている。かご１０８のかごドア１０９は、乗場ドア１１０と向きあう方向に配置されている。乗場ドア１１０は、かごドア１０９の開閉機構により、かごドア１０９と連動して開閉するよう構成されている。
【００２０】
制御盤１０２はかご１０８の昇降を制御可能に構成されている。制御盤１０２が巻上機１０１を制御することにより、かご１０８が昇降路１０５内を所定の階に昇降する。かご１０８が所定の階に移動すると、かごドア１０９が所定の階の乗場ドア１１０と対向するよう位置する。その位置で制御盤１０２がかごドア１０９を開閉するためのモータを制御することによって、かごドア１０９が開閉される。
【００２１】
この際、かごドア１０９の開閉機構と係合することにより、モータの駆動力によってかごドア１０９の開閉に従って乗場ドア１１０が開閉する。このように制御盤１０２によってかごドア１０９および乗場ドア１１０の開閉が制御される。
【００２２】
続いて、本実施の形態の昇降機ケーブル架設装置１の構成について詳しく説明する。
図２〜図４を参照して、昇降機ケーブル架設装置１は、台部２と、囲い部３と、出入口部４と、回転ドラム５と、マーカー６と、固定バンド７と、付勢手段８と、ロック機構１０とを主に有している。なお、図２では、昇降機ケーブル架設装置１に設置されたケーブル２０も図示されている。
【００２３】
主に図２を参照して、台部２は、ケーブル２０を保持可能に設けられている。台部２は、渦巻き状に巻かれたケーブル２０を設置可能に設けられている。台部２は、たとえば円板状に形成されている。囲い部３は、台部２のケーブル２０が設置される面の外周部に設けられている。囲い部３は、台部２のケーブル２０が設置される面より高さが高くなるように形成されている。囲い部３は、ケーブル２０が台部２の外周部からはみ出さないように設けられている。
【００２４】
出入口部４は、台部２に対してケーブル２０を出入可能に囲い部３の一部に設けられている。出入口部４は、囲い部３の一部を開口するように形成されている。出入口部４は、たとえば矩形状に形成されている。なお出入口部４の形状はこれに限定されず帯状などであってもよい。
【００２５】
回転ドラム５は、ケーブル２０を巻き回し可能に設けられている。回転ドラム５は、ケーブル２０を巻き上げおよび送り出し可能に回転するように設けられている。回転ドラム５は、台部２のケーブル２０が設置される面に設けられている。回転ドラム５は、たとえば台部２のケーブル２０が設置される面の中央部に設けられている。
【００２６】
図２および図３を参照して、回転ドラム５の外周面の一部に、ケーブル２０の端部を固定するための固定バンド７が設けられている。固定バンド７によりケーブル２０の端部のうちの一端が回転ドラム５に固定されている。回転ドラム５は、固定バンド７によりケーブル２０の一端が回転ドラム５の外周面に固定された状態で、ケーブル２０を回転ドラム５の外周面に渦巻き状に巻き回し可能に構成されている。
【００２７】
また回転ドラム５は、ケーブル２０の一端を回転ドラム５の外周面の一部に固定した状態でケーブル２０を回転ドラム５の外周面に沿って渦巻き状に巻き回すことによりケーブル２０を巻き上げ可能に構成されている。また回転ドラム５は、回転ドラム５の外周面に沿って渦巻き状に巻き回されたケーブル２０をケーブル２０の端部のうちの他端側から送り出し可能に構成されている。
【００２８】
マーカー６は、ケーブル２０にマーキングするためのものである。マーカー６は、計測手段６１と、マーキング手段６２とを主に有している。計測手段６１は、回転ドラム５からのケーブル２０の送り出し量を計測可能に設けられている。計測手段６１は、ケーブル２０の送り出し量を設定するための図示しないカウンタを有している。カウンタは、たとえば回転式カウンタであってもよい。
【００２９】
計測手段６１は、ケーブル２０の送り出し量を計測するための図示しないローラを有していてもよい。この場合、計測手段６１は、たとえばケーブル２０を送り出す際にケーブル２０とローラとが接触して、ローラが回転することによりケーブル２０の送り出し量を計測可能に構成されている。
【００３０】
マーキング手段６２は、ケーブル２０にマーキング可能に設けられている。マーキング手段６２は、たとえばスタンプなどでケーブル２０にマーキングが行えるように構成されている。ケーブル２０のマーキングされる位置は出入口部４からのケーブル２０の送り出し量に基づいて定められる。マーキング手段６２は、計測手段６１が予め設定されたケーブル２０の送り出し量を計測すると、ケーブル２０の送り出し量に対応する位置にマーキング可能に構成されている。
【００３１】
図３および図４を参照して、回転ドラム５は付勢手段８に接続されている。付勢手段８の一端は回転ドラム５に接続されており、他端は台部２に支持されている。図４では、図中矢印Ｄ１方向がケーブル２０を送り出す方向（送り出し方向Ｄ１）であり、図中矢印Ｄ２方向がケーブル２０を巻き上げる方向（巻き上げ方向Ｄ２）である。図４では、付勢手段８は、ケーブル２０を巻き上げる方向Ｄ２に回転ドラム５を付勢可能に設けられている。付勢手段８は、付勢可能な手段であればよいが、たとえばゼンマイが適用可能である。この場合、付勢手段８では、回転ドラム５が図中矢印Ｄ１方向に回転されることにより、ゼンマイが巻かれるように構成されている。
【００３２】
回転ドラム５は、ロック機構１０に接続されている。ロック機構１０は、ケーブル２０を巻き上げる方向Ｄ２へ回転ドラム５の回転を所定の回転角度でロック可能に設けられている。ロック機構１０は、爪１０ａと、歯車１０ｂとを有していてもよい。爪１０ａと歯車１０ｂとはラチェット式に構成されていてもよい。爪１０ａと歯車１０ｂとがラチェット式に構成されていることにより、爪１０ａと歯車１０ｂとは送り出し方向Ｄ１では係合せず、巻き上げ方向Ｄ２では係合可能に構成されている。
【００３３】
爪１０ａは台部２に回動可能に支持されている。爪１０ａは歯車１０ｂの外側に配置されている。歯車１０ｂは回転ドラム５の内周側に設けられている。歯車１０ｂは、歯が回転中心に対して所定の回転角度で配置されている。爪１０ａは図示しないバネにより歯車１０ｂ側に付勢されている。爪１０ａは歯車１０ｂの歯の形状に習って図中矢印Ｄ３方向に回動可能に設けられている。
【００３４】
歯車１０ｂは爪１０ａと係合することにより付勢手段８による付勢力に抗して回転ドラム５を係止可能に構成されている。歯車１０ｂは、爪１０ａと巻き上げ方向Ｄ２で噛み合い可能に設けられている。
【００３５】
爪１０ａと歯車１０ｂとは送り出し方向Ｄ１に係合を解除可能に構成されている。爪１０ａと歯車１０ｂとは、爪１０ａが歯車１０ｂ側に位置した状態で巻き上げ方向Ｄ２に係合可能に構成されている。爪１０ａと歯車１０ｂとは歯車１０ｂの歯が配置された間隔で係合可能に構成されている。一方、爪１０ａと歯車１０ｂとは、爪１０ａが歯車１０ｂと離れた状態で巻き上げ方向Ｄ２にも係合を解除可能に構成されている。
【００３６】
爪１０ａと歯車１０ｂとの係合が解除された状態では、ロック機構１０はロック解除された状態となる。ロック機構１０がロック解除された状態で、付勢手段８はケーブル２０を巻き上げる方向Ｄ２に回転ドラム５を回転させるように構成されている。
【００３７】
なお、上述では、爪１０ａが歯車１０ｂの外側に配置された場合について説明したが、爪１０ａが歯車１０ｂの内側に配置された構成も採用することができる。
【００３８】
次に、昇降機ケーブル架設装置を用いた昇降機ケーブル架設方法について説明する。以下、ケーブル２０の全線を架設する場合の昇降機ケーブル架設方法について説明する。
【００３９】
まず、図２を参照して、ケーブル２０を昇降機ケーブル架設装置１に設置する方法について説明する。ケーブル２０は、一般的に渦巻き状に梱包されている。ケーブル２０が開梱された後、ケーブル２０が渦巻き状のまま台部２に載置され、ケーブル２０の一端が固定バンド７に固定される。これにより、ケーブル２０を昇降機ケーブル架設装置１にセットする時間を短縮することができる。
【００４０】
なお、セットする時間は長くなるが、ケーブル２０が開梱された後、ケーブル２０を全て伸ばした状態から少しずつ回転ドラム５に巻きつけてケーブル２０が昇降機ケーブル架設装置１にセットされてもよい。
【００４１】
ケーブル２０が昇降機ケーブル架設装置１にセットされた後には、囲い部３によって台部２から長く重量物であるケーブル２０の脱落が抑制される。
【００４２】
続いて、昇降機ケーブル架設装置１を使用したケーブル２０の架設方法について説明する。
【００４３】
図５を参照して、かご上１０３に位置する作業者（架設作業者）６０によってかご１０８の内部に設置された昇降機ケーブル架設装置１からケーブル２０が図示しないかご１０８の救出口を通ってかご上１０３まで引き出される。作業者６０は、かご１０８の内部で昇降機ケーブル架設装置１からケーブル２０を引き出した後、かご上１０３に移動してもよい。
【００４４】
図６を参照して、ケーブル２０がかご上１０３に送り出された状態で、昇降路１０５のトップ部（最上部）までかご１０８が移動される。機械室１０６に設置されるケーブル２０の長さを考慮して昇降路１０５のトップ部でケーブル２０が作業者６０によって固定される。
【００４５】
機械室１０６に設置されるケーブル２０が昇降路１０５内に位置する作業者６０から機械室１０６に位置する作業者６０ａに渡される。作業者６０ａによってかご１０８の外側に設けられた制御盤１０２にケーブル２０が電気的に接続される。このようにかご上１０３の作業者６０と機械室１０６の作業者６０ａとが連携することによってケーブル２０が機械室１０６に立ち上げられる。
【００４６】
ここで上述のようにケーブル２０が架設される際の昇降機ケーブル架設装置１の動作について説明する。
【００４７】
図７を参照して、図５に示すようにケーブル２０を作業者６０が引っ張ると、回転ドラム５が図中矢印Ｄ１方向（時計周り方向）に回転し、ケーブル２０が送り出し方向Ｄ１に引き出される。
【００４８】
図８を参照して、ケーブル２０が送り出し方向Ｄ１に引き出されている状態では、ロック機構１０の爪１０ａが歯車１０ｂの歯の形状に習って図中矢印Ｄ４方向に移動する。これにより爪１０ａと歯車１０ｂとの係合が解除されるため、ロック機構１０がロック解除された状態で歯車１０ｂが図中矢印Ｄ１方向に回転する。歯車１０ｂが図中矢印Ｄ１方向に回転することにより回転ドラム５が図中矢印Ｄ１方向に回転する。
【００４９】
回転ドラム５が図中矢印Ｄ１方向に回転することにより付勢手段（ゼンマイ）８が巻かれる。そのため、付勢手段８によってロック機構１０の歯車１０ｂは図中矢印Ｄ２方向（巻き上げ方向Ｄ２）に付勢される。付勢手段８によって歯車１０ｂが付勢されているため、図８に示す状態から図４に示す状態に爪１０ａが歯車１０ｂ側に移動すると、図４に示すように図中矢印Ｄ２方向に爪１０ａと歯車１０ｂとが係合される。
【００５０】
歯車１０ｂの歯が歯車１０ｂの回転中心に対して所定の回転角度で配置されているため、所定の回転角度ごとに爪１０ａと歯車１０ｂとが係合され得る。所定の回転角度ごとに爪１０ａと歯車１０ｂとを係合させることで、回転ドラム５に巻き回されたケーブル２０が回転ドラム５から所定の回転角度ずつ送り出される。ケーブル２０を所定の回転角度ごとに引き出すことにより、所定の回転角度に応じて所定の長さずつケーブル２０を引き出すことができる。そのためケーブル２０の送り出し量を容易に調整することができる。
【００５１】
また、引き出しすぎたケーブル２０の長さを調整する場合には、次のようにケーブル２０を付勢手段８により自動的に回転ドラム５に巻き上げることでケーブル２０の長さを調整することができる。ケーブル２０の送り出し量が多すぎる場合には、ロック機構１０を解除してケーブル２０を巻き上げることができる。
【００５２】
図９を参照して、まずケーブル２０が回転ドラム５から送り出し方向Ｄ１に少し引き出される。図８に示すように爪１０ａが歯車１０ｂから外れた状態となり、ロック機構１０がロック解除された状態となる。図１０を参照して、ロック機構１０がロック解除された状態で、ケーブル２０が離されると、爪１０ａが歯車１０ｂ側に移動する前に、付勢手段８によって歯車１０ｂが図中矢印Ｄ２方向（半時計周り方向）に回転する。このため、爪１０ａが歯車１０ｂに引っかからずに歯車１０ｂは図中矢印Ｄ２方向に回転し続ける。歯車１０ｂが図中矢印Ｄ２方向に回転し続けることで回転ドラム５が巻き上げ方向Ｄ２に回転し続ける。
【００５３】
図１１を参照して、回転ドラム５が巻き上げ方向Ｄ２に回転し続けることによりケーブル２０は回転ドラム５に巻き上げ方向Ｄ２に巻き取られる。ケーブル２０が回転ドラム５に巻き上げられている状態でケーブル２０を掴むなどしてケーブル２０の移動を中断させると、爪１０ａが歯車１０ｂ側に移動する。この状態でケーブル２０が離されると、歯車１０ｂが爪１０ａと係合する位置まで最大１つの歯の角度だけ巻き上げ方向Ｄ２に回転して、爪１０ａと歯車１０ｂとが係合される。
【００５４】
これにより、回転ドラム５の回転を終了させて、ケーブル２０の巻き取りを終了させることができる。このようにして、ケーブル２０の巻き上げ量を容易に調整することができる。上述のようにケーブル２０の巻上げ量および送り出し量を調整することにより、所定長さのケーブル２０を回転ドラム５から引き出すことができる。これによりケーブル２０の長さを容易に調整することができる。
【００５５】
ケーブル２０が余分に引き出された場合には、ケーブル２０の巻き癖によってケーブル２０がからむためケーブル２０に力がかかり断線することがあるが、上述のように引き出しすぎたケーブル２０の長さを調整することができるためケーブル２０の断線を抑制することができる。
【００５６】
続いて、ケーブル２０へのマーキングについて説明する。
本実施の形態では、マーカー６によって所定の送り出し量でケーブル２０がマーキングされてもよい。図６および図７を参照して、ケーブル２０の架設作業が進み、あらかじめ昇降路１０５の長さなどからマーカー６の計測手段６１で設定した数値まで回転ドラム５からケーブル２０が引き出されると、マーキング手段６２によって回転ドラム５から引き出された所定長さのケーブル２０の送り出し量に対応する位置にマーキング１１が施される。
【００５７】
たとえば、機械室１０６に必要なケーブル２０の長さでケーブル２０にマーキングすることができる。この場合、たとえば以下の計算式によって求められる数値が図示しない回転式カウンタに設定される。
【００５８】
(ケーブル２０の全長)−(昇降路１０５の長さ(既定))−(かご下からかご上１０３までのケーブル２０の長さ)＝（機械室のケーブル長さ）
ここで「昇降路１０５の長さ」は、昇降路１０５が設置される建物が建築される際に決定されており、図面上の情報により設定できる。「かご下からかご上１０３までのケーブル長さ」は、図示しないかご下ハンガーへの取付寸法を決定することにより算出できる。
【００５９】
計測手段６１の図示しないローラが回転することによりケーブル２０の送り出し量が計測される。計測手段６１の図示しない回転式カウンタで予め設定されたケーブル２０の送り出し量の数値と計測手段６１で計測されたケーブル２０の送り出し量が合致すると、ケーブル２０の送り出し量に対応する位置にマーキング手段６２によってマーキング１１が施される。
【００６０】
機械室１０６のケーブル２０の長さでマーキング１１が施された所定長さのケーブル２０は、マーキング１１にあわせてケーブル２０の長さを調整して機械室１０６に立ち上げられる。この際、マーキング１１が施された所定長さのケーブル２０は、かご１０８の外側に設けられた制御盤１０２に電気的に接続される。
【００６１】
続いて、機械室１０６にケーブル２０が立ち上げられた後、昇降機１００の最下階までのケーブル２０を架設する方法について説明する。
【００６２】
図１２を参照して、上述のようにケーブル２０が機械室１０６に立ち上げられた後、かご１０８の内部に設置された昇降機ケーブル架設装置１からケーブル２０が送り出されながらかご１０８が最下階まで移動される。作業者６０が適宜ケーブル２０を昇降路１０５内に取り付ける。このようにして、昇降機１００の最下階までケーブル２０が架設される。
【００６３】
図１３を参照して、ケーブル２０の昇降路１０５内への架設が完了すると、昇降機ケーブル架設装置１の台部２に残ったケーブル２０はピット１１２内に送られる。作業者６０はピット１１２内に移動する。作業者６０によってピット１１２内でかご下に図示しないかご下ハンガーが取り付けられる。なお、図示しないかご下ハンガーは既設かご下ハンガーが流用されてもよい。作業者６０によってこのかご下ハンガーにケーブル２０が取り付けられる。
【００６４】
図１４を参照して、作業者６０がかご上１０３に移動する。かご上１０３に位置する作業者６０によってかご１０８にケーブル２０が電気的に接続される。ケーブル２０がかご上１０３へ立ち上げられることによりケーブル架設作業が完了する。これにより、ケーブル２０の全線の交換が完了する。
【００６５】
次に、本実施の形態の作用効果について説明する。
本実施の形態の昇降機ケーブル架設装置１によれば、ケーブル２０を巻き上げる方向Ｄ２への回転ドラム５の回転を所定の回転角度でロック可能なロック機構１０により、所定の回転角度に応じて所定の長さずつケーブル２０を引き出すことができる。またロック機構１０がロック解除された状態で、ケーブル２０を巻き上げる方向Ｄ２に回転ドラム５を回転させるように付勢する付勢手段８によりケーブル２０を巻き上げることができる。
【００６６】
そのため、ケーブル２０の巻き上げ量および送り出し量の調整が容易にできる。これにより、ケーブル２０の架設の作業性を向上することができる。ケーブル２０の架設の作業性を向上することにより、ケーブル２０の架設作業者６０がケーブル２０を短時間で交換できる。よって、ケーブル２０の交換のための昇降機１００の停止時間を短縮することができる。
【００６７】
また、本実施の形態の昇降機ケーブル架設装置１によれば、ロック機構は、爪と、爪と係合することにより付勢手段８による付勢力に抗して回転ドラム５を係止可能な歯車とを含んでいるため、ケーブル２０を所定の長さで保持することができる。そのため、ケーブル２０の長さの調整が容易にできる。
【００６８】
また、本実施の形態の昇降機ケーブル架設装置１によれば、ケーブル２０にマーキングするためのマーカー６をさらに備えている。マーカー６は、計測手段６１が予め設定されたケーブル２０の送り出し量を計測すると、ケーブルの送り出し量に対応する位置にマーキング可能なマーキング手段６２を含んでいる。これにより、マーキングにあわせてケーブル２０の長さを調整することができるので、ケーブル２０の架設の作業性をさらに向上することができる。
【００６９】
たとえば、機械室１０６に必要なケーブル２０の長さがマーカー６によってマーキングされているため、機械室１０６へのケーブル２０の立ち上げの際にそのマーキング１１にあわせてケーブル２０の長さを調整することができる。マーキング１１にあわせてケーブル２０の長さを調整することによりケーブル２０の架設の作業性を向上することができる。
【００７０】
また、本実施の形態の昇降機ケーブル架設方法によれば、上記の昇降機ケーブル架設装置１を用いて、ケーブル２０を回転ドラム５から所定の回転角度ずつ送り出し、かつ回転ドラム５からのケーブル２０の送り出し量が多すぎる場合にはロック機構１０を解除してケーブル２０を巻き上げることにより、所定長さのケーブル２０を回転ドラム５から引き出すことができる。これにより、ケーブル２０の架設作業を容易にすることができる。
【００７１】
また、本実施の形態の昇降機ケーブル架設方法によれば、上記の昇降機ケーブル架設装置１のマーカー６を用いて、回転ドラム５から引き出された所定長さのケーブル２０の送り出し量に対応する位置にマーキング１１が施される。マーキング１１にあわせてケーブル２０の長さを調整することができる。これにより、ケーブル２０の架設作業をさらに容易にすることができる。
【００７２】
（実施の形態２）
本発明の実施の形態２は、実施の形態１と比較してケーブルを２本同時に架設可能である点で主に異なっている。
【００７３】
地震時管制装置、防犯カメラなどのオプション品を多数取り付けるため制御信号が多く必要な場合には、ケーブルが２本必要となる場合がある。そのような場合に本実施の形態の昇降機ケーブル架設装置１は特に有用である。
【００７４】
図１５を参照して、本実施の形態の昇降機ケーブル架設装置１に設置される制御ケーブル（ケーブル）２０は複数のケーブル部２０ａ，２０ｂを含んでいる。
昇降機ケーブル架設装置１は２本のケーブル部２０ａ，２０ｂを同時に架設可能に構成されている。出入口部４は、ケーブル部２０ａ，２０ｂを２本同時に出入可能に設けられている。固定バンド７はケーブル部２０ａ，２０ｂを２本同時に固定可能に設けられている。マーカー６は、２本のケーブル部２０ａ，２０ｂのそれぞれにマーキング可能に出入口部４の両側に２つ設けられている。
【００７５】
なお、本実施の形態のこれ以外の構成は、上述した実施の形態１の構成と同一であるため、同一の要素ついては同一の符号を付し、その説明を繰り返さない。また、昇降機ケーブル架設装置１を使用したケーブル２０の架設方法については、ケーブル部２０ａ，２０ｂを２本束ねて架設する以外は実施の形態１と同様のため、その説明を繰り返さない。
【００７６】
本実施の形態の昇降機ケーブル架設装置１によれば、ケーブル２０は、複数のケーブル部２０ａ，２０ｂを含んでいるため、複数のケーブル部２０ａ，２０ｂを同時に架設することができる。これにより、ケーブル２０の架設時間を短縮することができる。よって、ケーブル２０交換のための昇降機１００の停止時間を短縮することができる。
【００７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００７８】
１  昇降機ケーブル架設装置、２  台部、３  囲い部、４  出入口部、５  回転ドラム、６  マーカー、７  固定バンド、８  付勢手段、１０  ロック機構、１０ａ  爪、１０ｂ  歯車、１１  マーキング、２０  ケーブル、２０ａ，２０ｂ  ケーブル部、６０，６０ａ  架設作業者（作業者）、６１  計測手段、６２  マーキング手段、１００  昇降機、１０１  巻上機、１０２  制御盤（制御部）、１０３  かご上、１０４  つり合いおもり、１０５  昇降路、１０６  機械室、１０７  ワイヤーロープ、１０８  かご、１０９  かごドア、１１０  乗場ドア、１１１  乗場、１１２  ピット。
【図１】
0005524873.tif 000002
【図２】
0005524873.tif 000003
【図３】
0005524873.tif 000004
【図４】
0005524873.tif 000005
【図５】
0005524873.tif 000006
【図６】
0005524873.tif 000007
【図７】
0005524873.tif 000008
【図８】
0005524873.tif 000009
【図９】
0005524873.tif 000010
【図１０】
0005524873.tif 000011
【図１１】
0005524873.tif 000012
【図１２】
0005524873.tif 000013
【図１３】
0005524873.tif 000014
【図１４】
0005524873.tif 000015
【図１５】
0005524873.tif 000016